【手続補正書】
【提出日】平成22年2月23日(2010.2.23)
【手続補正１】
【補正対象書類名】特許請求の範囲
【補正対象項目名】全文
【補正方法】変更
【補正の内容】
【特許請求の範囲】
【請求項１】
ある場所における微生物の制御を提供する方法であって、
ａ）ｉ）  水溶性または水分散性フィルム形成剤；
ii）  少なくとも１つの抗菌剤；
iii）  不活性溶媒；および
iv）  液体コーティング組成物の表面張力を４０ｍＮ／ｍ未満に低下させる界面活性剤、を含む除去可能な液体コーティング組成物を提供するステップ；および
ｂ）その場所に上記組成物をコーティングする工程、
を含む方法。
【手続補正２】
【補正対象書類名】明細書
【補正対象項目名】０１１２
【補正方法】変更
【補正の内容】
【０１１２】
本明細書で開示され請求されている全ての方法および組成物は、本開示に照らして必要以上の実験をせずに作製し実施することができる。本開示の方法および組成物は本発明および好ましい実施形態のさまざまな態様に関して記述されてきたが、当業者には、本発明の概念、精神および範囲から逸脱することなく本明細書に記述されている組成物および方法そして方法のステップまたはステップの順序に変更を加えることができる、ということは明白であろう。より特定的には、化学的に関連する一部の作用物質を本明細書中で記述されている作用物質と置換して、同じまたは類似の結果が達成されると思われる、ということが明白となる。当業者にとって明白であるかかる類似の代用品および修正は、添付のクレームにより定義されている通りの本発明の精神、範囲および概念の中に入るものとみなされる。
以上、本発明を要約すると下記のとおりである。
１．ある場所における微生物の制御を提供する方法であって、
ａ）ｉ）  水溶性または水分散性フィルム形成剤；
ｉｉ）  少なくとも１つの抗菌剤；
ｉｉｉ）  不活性溶媒；および
ｉｖ）  液体コーティング組成物の表面張力を４０ｍＮ／ｍ未満に低下させる界面活性剤、を含む除去可能な液体コーティング組成物を提供するステップ；および
ｂ）その場所に上記組成物をコーティングする工程、
を含む方法。
２．液体コーティング組成物の表面張力が３５ｍＮ／ｍ未満である、上記１に記載の方法。
３．界面活性剤が非イオン性オルガノシリコーンである、上記１に記載の方法。
４．液体コーティング組成物が、スプレーまたはエアロゾル化によってある場所に適用される、上記１に記載の方法。
５．組成物をある場所に適用する前に、液体コーティング組成物に対して消泡剤が添加される、上記１に記載の方法。
６．液体コーティング組成物が泡としてある場所に適用され、これによって該組成物は、表面がその場所上への該組成物の適用によって被覆された一時的な視覚的インジケータとして役立つ、上記５に記載の方法。
７．消泡剤が、ある場所上にフィルムまたはコーティングが形成されたインジケータとして役立つ、上記５に記載の方法。
８．除去可能な液体コーティング組成物が、コーティング組成物に対する剪断減粘性を提供する少なくとも１つのレオロジー制御剤もまた含有している、上記１に記載の方法。
９．剪断減粘性には、１．５〜５０という、５Ｓ−１の剪断速度での粘度と１９０Ｓ−１の剪断速度での粘度の比率が含まれている、上記８に記載の方法。
１０．ある場所における微生物の制御には、少なくとも１つの細菌菌株を少なくとも３−ログだけ削減することが含まれている、上記１に記載の方法。
１１．ある場所における微生物の制御には、少なくとも１つの細菌菌株を少なくとも５−ログだけ削減することが含まれている、上記１０に記載の方法。
１２．ある場所における微生物の制御には、少なくとも１タイプの微生物の増殖を防止することが含まれている、上記１に記載の方法。
１３．ある場所における微生物の制御には、微生物の削減が含まれており、該微生物がバイオフィルム内に隠されている、上記１に記載の方法。
１４．除去可能な液体コーティング組成物がさらに架橋剤を含み、該架橋剤が、該コーティングの除去可能性を無くすことなく耐久性を提供する、上記１に記載の方法。
１５．ある場所上にフィルムを形成する工程をさらに含む、上記１に記載の方法。
１６．フィルムを乾燥させコーティングを形成させる工程をさらに含む、上記１５に記載の方法。
１７．フィルムまたはコーティングが実質的に連続的でかつ均一である、上記１５または１６に記載の方法。
１８．フィルムまたはコーティングが、約０．３ミクロン〜約３００ミクロン、約０．５〜約１００ミクロンおよび約１．０〜約３０ミクロンからなる群から選択された厚みを有する、上記１５または１６に記載の方法。
１９．コーティングが、周囲空気の相対湿度が１００％未満である状態で室温での蒸発により形成される、上記１６に記載の方法。
２０．コーティングを除去する工程をさらに含む、上記１に記載の方法。
２１．コーティングが約１５℃〜約１００℃の温度で水溶液で除去される、上記２０に記載の方法。
２２．コーティングが約３０℃〜約８０℃の温度で水溶液で除去される、上記２１に記載の方法。
２３．フィルム形成剤がポリビニルアルコールおよびその共重合体、ポリビニルピロリドン、アクリレート共重合体、イオン性炭化水素共重合体およびポリウレタンまたはそれらの組合せのうちの１つ又はそれ以上のものである、上記１に記載の方法。
２４．フィルム形成剤がポリビニルアルコールまたはその共重合体である、上記２３に記載の方法。
２５．ある場所が、金属、鉱物、重合体もしくはプラスチック、繊維状基質もしくは不織布またはその混合物からなる無生物表面、またはコーティングされたまたは塗装された表面である、上記１に記載の方法。
２６．水溶液が水；水と酸；水と塩基；または水と洗浄剤から本質的になる、上記１に記載の方法。
２７．ポリビニルアルコールまたはその共重合体が、８５モルパーセントを超える平均加水分解度を有する、上記２４に記載の方法。
２８．ポリビニルアルコールまたはその共重合体が、９２モルパーセントを超える平均加水分解度を有する、上記２７に記載の方法。
２９．フィルム形成剤が、約４，０００〜約１８６，０００の範囲の分子量を有する、上記１に記載の方法。
３０．抗菌剤が、１つ又はそれ以上の抗菌剤、抗細菌剤、殺真菌剤、静真菌剤、殺カビ剤、防カビ剤、防腐剤、消毒剤、サニタイザー、殺菌剤、殺藻剤、または防汚剤である、上記１に記載の方法。
３１．抗菌剤が、４級アンモニウム化合物またはその混合物のうちの１つ又はそれ以上である、上記１に記載の方法。
３２．不活性溶媒が水である、上記１に記載の方法。
３３．コーティング組成物が、可塑剤、架橋剤、着色剤、可溶化剤、レオロジー改良剤、酸化防止剤、ｐＨ調整剤、消泡剤、潤滑剤、加工助剤、耐変色剤、性能増強剤または酵素のうちの１つ又はそれ以上をさらに含む、上記１に記載の方法。
３４．ある場所が、タンク、コンベヤ、床、ドレイン、冷却器、冷凍庫、冷蔵庫、機器表面、壁、バルブ、ベルト、パイプ、継手、割れ目、建物表面、厨房表面、獣医または動物介護施設、動物介護機器または畜産もしくは孵化施設内に見られる無生物表面、病院または外科センターの壁、ベッド、機器、病院その他の医療環境内で着用される医療衣、靴を含む繊維製品およびその他の病院内表面のうちの１つ又はそれ以上の表面である、上記１に記載の方法。
３５．表面が、アルミニウム、鋼、ステンレス鋼、クロム、チタン、鉄、合金およびそれらの混合物からなる群から選択された１つ又はそれ以上の金属を含む、上記３４に記載の方法。
３６．表面が、ポリエチレン、ポリプロピレン、ポリスチレンを含むポリオレフィン；ポリメタクリレート、ポリメチルメタクリレート、ポリアクリロニトリル、ポリブタジエン、アクリロニトリル・ブタジエン・スチレン共重合体、ポリアクリロニトリルブタジエン；ポリエチレンテレフタレートを含むポリエステル；およびナイロンを含むポリアミド；およびそれらの組合せからなる群から選択された１つ又はそれ以上のプラスチック材料を含む、上記３４に記載の方法。
３７．表面がレンガ、タイル、セラミック、磁器、木材、ビニル、リノリウム、カーペット、紙、皮革、それらの組合せなどである、上記３４に記載の方法。
３８．フィルムまたはコーティングが、微生物汚染に対する物理的障壁である、上記１５または１６に記載の方法。
３９．ｉ）  組成物の１〜３０質量％の範囲内の濃度を有する水溶性または水分散性フィルム形成剤；
ｉｉ）  少なくとも約０．００１質量％の濃度を有する少なくとも１つの抗菌剤、
ｉｉｉ）  少なくとも約５０質量％の濃度の不活性溶媒；および
ｉｖ）  ４０ｍＮ／ｍ未満の組成物の表面張力を提供する界面活性剤、
を含む、抗菌性組成物。
４０．処方物の表面張力が３５ｍＮ／ｍ未満である、上記３９に記載の組成物。
４１．界面活性剤がオルガノシリコーンである、上記３９に記載の組成物。
４２．水溶性または水分散性フィルム形成剤がポリビニルアルコールまたはその共重合体である、上記３９に記載の組成物。
４３．界面活性剤が０．０１質量％〜１０質量％の濃度である、上記３９に記載の組成物
。
４４．組成物が、汚染された表面にコーティングされた場合に少なくとも３−ログの微生物の削減を提供する、上記３９に記載の組成物。
４５．剪断減粘性を提供するレオロジー制御剤をさらに含む、上記３９に記載の組成物。４６．抗菌性組成物が、可塑剤、架橋剤、着色剤、可溶化剤、レオロジー改良剤、酸化防止剤、ｐＨ調整剤、消泡剤、潤滑剤、加工助剤、耐変色剤、性能増強剤または酵素のうちの１つ又はそれ以上のものをさらに含む、上記３９に記載の組成物。
４７．汚染された表面にコーティングされた場合に残留抗菌性効能を提供する、上記３９に記載の組成物。
４８．消毒剤、サニタイザー、保存剤、または微生物汚染に対する物理的障壁である、上記３９に記載の組成物。